(57)【特許請求の範囲】
【請求項１】
空気を取り込んで送り出すためのファン、第１熱交換器および第２熱交換器を有する空気調和機であって、
前記第１熱交換器は、
第１フィン部と、
前記第１フィン部を貫通するように配設された、所定の冷媒を流すための第１配管群と
を備え、
前記第２熱交換器は、
第２フィン部と、
前記第２フィン部を貫通するように配設された、所定の冷媒を流すための第２配管群と
を備え、
前記第１熱交換器および前記第２熱交換器では、それぞれ所定の幅を有して延在し、空気を流通させるように所定の間隔を隔てて重ねるようにして配設された複数のフィンにおいて、前記延在する方向の途中において複数の前記フィンのそれぞれの幅方向の一端側から他端側へ向かって形成されるとともに前記他端側部分では繋がるように形成された所定の切れ目を挟んで一方側に位置する複数の前記フィンの部分を前記第１フィン部とするとともに、前記切れ目を挟んで他方側に位置する複数の前記フィンの部分を前記第２フィン部とし、所定の前記切れ目を前記一端側から広げて、前記第２フィン部を前記第１フィン部に対して１８０°折り曲げることにより、前記第２熱交換器を前記第１熱交換器の風上側に重ね合わすように配設して、前記第１熱交換器を主熱交換器とするとともに、前記第２熱交換器を補助熱交換器とし、
前記主熱交換器では、前記第１配管群は、前記第１フィン部をなす複数の前記フィンの部分の幅方向に複数列に配設され、
前記補助熱交換器では、前記第２配管群は、前記第２フィン部をなす複数の前記フィンの部分の幅方向に、前記第１配管群の前記複数列と同じ列数かそれよりも少ない列数に配設された、空気調和機。
【請求項２】
前記第１フィン部は第１エンドプレートを有し、
前記第２フィン部は第２エンドプレートを有し、
前記第２フィン部を前記第１フィン部に対して１８０°折り曲げて、前記第１エンドプレートと前記第２エンドプレートとが係止することで、前記主熱交換器と前記補助熱交換器とが重ね合わせられた状態で係止される、請求項１記載の空気調和機。
【発明の詳細な説明】
【技術分野】
【０００１】
本発明は、空気調和機に関し、特に、主熱交換器と補助熱交換器を備えた空気調和機に関するものである。
【背景技術】
【０００２】
近年、空気調和機の省エネルギ化に伴って、空気調和機に使用される熱交換器の高効率化が要求されている。また、空気調和機における室内機に使用される熱交換器には、室内機の大きさやデザインに影響を与えるために、小型化が要求されている。そのような熱交換器の高効率化を図るために、たとえば、特許文献１には、補助熱交換器と主熱交換器とを備えて、暖房運転時の過冷却域を補助熱交換器にもたせることで、熱交換の効率を高めた熱交換器が提案されている。
【特許文献１】特開２０００−３２９４８６号公報
【発明の開示】
【発明が解決しようとする課題】
【０００３】
しかしながら、従来の空気調和機における熱交換器では、室内送風効率等の観点から補助熱交換器の構造を主熱交換器の構造とは別個の熱交換器とする必要があった。そのため、補助熱交換器の製造組み立ては主熱交換器の製造組み立てとは別個に行なわれており、生産性が損なわれるという問題があった。
【０００４】
本発明は上記問題点を解決するためになされたものであり、その目的は、生産性の高い熱交換器を備えた空気調和機を提供することである。
【課題を解決するための手段】
【０００５】
本発明に係る空気調和機は、空気を取り込んで送り出すためのファン、第１熱交換器および第２熱交換器を有する空気調和機である。第１熱交換器は、第１フィン部と、第１フィン部を貫通するように配設された、所定の冷媒を流すための第１配管群とを備えている。また、第２熱交換器は、第２フィン部と、第２フィン部を貫通するように配設された、所定の冷媒を流すための第２配管群とを備えている。その第１熱交換器および第２熱交換器では、それぞれ所定の幅を有して延在し、空気を流通させるように所定の間隔を隔てて重ねるようにして配設された複数のフィンにおいて、延在する方向の途中において複数のフィンのそれぞれの幅方向の一端側から他端側へ向かって形成されるとともに他端側部分では繋がるように形成された所定の切れ目を挟んで一方側に位置する複数のフィンの部分を第１フィン部とするとともに、切れ目を挟んで他方側に位置する複数のフィンの部分を第２フィン部とし、所定の切れ目を一端側から広げて、第２フィン部を第１フィン部に対して１８０°折り曲げることにより、第２熱交換器を第１熱交換器の風上側に重ね合わすように配設して、第１熱交換器を主熱交換器とするとともに、第２熱交換器を補助熱交換器としている。主熱交換器では、第１配管群は、第１フィン部をなす複数のフィンの部分の幅方向に複数列に配設されている。補助熱交換器では、第２配管群は、第２フィン部をなす複数のフィンの部分の幅方向に、第１配管群の複数列と同じ列数かそれよりも少ない列数に配設されている。
【０００６】
この構成によれば、第１熱交換器と第２熱交換器とは、複数のフィンに設けた所定の切れ目を広げて、第２フィン部を第１フィン部に対して１８０°折り曲げることにより、第２熱交換器が風上側になるように第１熱交換器に重ね合わされて、第１熱交換器が主熱交換器となり、第２熱交換器が補助熱交換器となる。これにより、第１熱交換器と第２熱交換器とを別個に製造して組立てる場合と比べると、熱交換器の生産性を向上させることができるとともに、部品の共通化も図ることができる。なお、この１８０°という角度は数学的な角度を意図するものではなく、製造上の誤差を含むことを予定するものである。
【０００７】
また、主熱交換器は第１フィン部の第１エンドプレートを有し、補助熱交換器は第２フィン部の第２エンドプレートを有し、第１エンドプレートと第２エンドプレートとが係止することで、主熱交換器と補助熱交換器とが重ね合わせられた状態で係止されることが好ましい。
【発明を実施するための最良の形態】
【００１８】
実施の形態１
本発明の実施の形態１として、熱交換器の製造方法について説明する。まず、図１に示すように、所定の幅を有して延在するフィン２が用意される。フィン２には、あらかじめ伝熱管が挿通される開口部３が形成されている。また、その隣接する開口部３の間には、後述するように、通風抵抗を制御するためのスリット（図示せず）が形成されている。
【００１９】
次に、図２および図３に示すように、エンドプレート８に所定の冷媒を流すための伝熱管７が挿通され、引き続いて伝熱管７をフィン２の対応する開口部３に挿通させることによってフィン２が順次積層される。このようにして、図４に示すように、フィン２を積層させた熱交換器となるフィン部９が形成される。次に、そのフィン部９において、フィン２の延在する方向の途中の所定の位置に切れ目５が形成される。その切れ目５は、幅方向の他端側の部分６を残して、フィン２の幅方向の一端側から他端側に向かって形成されている。
【００２０】
次に、図５に示すように、切れ目５を挟んで一方側に位置するフィン部９の部分を第１フィン部１０とし、切れ目５を挟んで他方側に位置するフィン部９の部分を第２フィン部１１として、その切れ目５を一端側から徐々に広げ、そして、図６に示すように、第２フィン部１１を第１フィン部１０に対して１８０°折り曲げることにより、第２フィン部１１が第２フィン部１０に対して重ね合わせられる。重ね合わされた状態で、第２フィン部１１のエンドプレート８に設けられた爪部８ａが、第１フィン部１０のエンドプレート８に係止される。
【００２１】
重ね合わせられた第１フィン部１０と第２フィン部１１とは、第１フィン部１０がたとえば主熱交換器（第１熱交換器）１２となり、第２フィン部１１が補助熱交換器（第２熱交換器）１３となる。
【００２２】
次に、このようにして形成された主熱交換器１２と補助熱交換器１３とは、空気調和機の室内機において、図７に示すように、クロスフローファン２０による空気の流れが一番速くなる所定の位置に配設され、空気の流れに対して補助熱交換器１３が上流側に位置し、主熱交換器１２が下流側に位置するように配置される。また、同様にしてフィンを積層することによって形成された他の熱交換器１４，１５も、それぞれ所定の位置に配設される。このようにして、空気調和機における熱交換器１の配設が完了し、その後、各熱交換器における所定の伝熱管同士（図示せず）を接続することによって室内側の熱交換器が完成する。
【００２３】
次に、このような熱交換器を備えた空気調和機の動作の一例として、暖房運転を例に挙げて説明する。暖房運転の場合には、室内機側の熱交換器１は凝縮器として機能し、クロスフローファン２０によって熱交換器１に空気が送り込まれると、送り込まれた空気と伝熱管を流れる冷媒との間で熱交換が行なわれる。
【００２４】
この場合には、室外機の圧縮機（いずれも図示せず）によって高温の気体とされた冷媒は、まず、主熱交換器１２に流入する。主熱交換器１２に流入した冷媒は、伝熱管を流れるにしたがって空気と熱交換をして徐々に液化し、気液２相状態となる。気液２相状態となった冷媒は、主熱交換器１２から流出して最終的に補助熱交換器１３に流入する。補助熱交換器１３に流入した冷媒は、伝熱管を流れながら過冷却されて、低温の液体の冷媒となって補助熱交換器１３から流出する。
【００２５】
この熱交換器１における主熱交換器１２と補助熱交換器１３とは分離されていることで、熱交換器１を凝縮器として使用したときに、低温の冷媒で満たされる補助熱交換器１３が主熱交換器１２とは分離されて、主熱交換器１２の温度を高い温度に保つことができる。その結果、空気と熱交換器１との温度差が大きくなって、補助熱交換器１３の熱交換率を向上させることができる。本実施の形態に係る製造方法によって製造された熱交換器を備えた空気調和機は、上記のように構成され動作をする。
【００２６】
上述した熱交換器の製造方法によれば、主熱交換器１２と補助熱交換器１３とは、複数のフィン２を積層することによって形成されたフィン部９に設けた所定の切れ目５を広げて、第２フィン部１１を第１フィン部１０に対して１８０°折り曲げ、第２フィン部１１を第２フィン部１０に対して重ね合わせることによって形成される。
【００２７】
これにより、従来の空気調和機における熱交換器のように、主熱交換器と補助熱交換器とを別個に製造して組立てる場合と比べると、熱交換器の生産性を向上させることができるとともに、部品の共通化も図ることができる。
【００２８】
なお、上述した空気調和機の熱交換器では、第１フィン部に対して第２フィン部を所定の切れ目５に基づいて１８０°折り曲げ第１フィン部に重ね合わせることによって主熱交換器と補助熱交換器とを製造する場合を例に挙げて説明したが、この手法は、これに限られるものではなく、主熱交換器および補助熱交換器と他の熱交換器との製造にも適用することが可能である。そのいくつかの例を変形例１〜変形例３として以下に説明する。
【００２９】
変形例１
まず、図２および図３に示されるように、フィン２を積層することによってフィン部９を形成した後に、たとえば、図８に示すように、一つのフィン部９に対して２つの切れ目５ａ，５ｂが形成される。切れ目５ａはフィン部９の幅方向の他端側の部分６を残して一端側から他端側へ向かって形成される。切れ目５ｂは、フィン部９の幅方向の一端側の部分６を残して他端側から一端側へ向かって形成される。
【００３０】
次に、まず、切れ目５ａを一端側から徐々に広げて、切れ目５ａを挟んで一方側に位置するフィン部９ｂに対して、切れ目５ａを挟んで他方側に位置するフィン部９ｃを１８０°折り曲げてフィン部９ｃをフィン部９ｂに重ね合わせることによって、図９に示すように、主熱交換器１２と補助熱交換器１３とが形成される。
【００３１】
そして、切れ目５ｂを他端側から徐々に広げて、切れ目５ｂを挟んで一方側に位置するフィン部９ａの部分を切れ目５ｂを挟んで他方側に位置するフィン部９ｂに対して所定の角度分だけ折り曲げることによって、主熱交換器１２と端部において繋がれた他の熱交換器１４が製造される。そして、さらに他の熱交換器１５を別途配設することによって、室内機の熱交換器１が製造されることになる。
【００３２】
変形例２
また、フィン２を積層することによって２つのフィン部９を形成した後に、たとえば、図１０に示すように、一つのフィン部９に対して１つの切れ目５ａが形成され、他のフィン部９に対して１つの切れ目５ｂが形成される。切れ目５ａは、フィン部９の幅方向の一端側の部分６を残して他端側から一端側へ向かって形成される。切れ目５ｂも、フィン部９の幅方向の一端側の部分６を残して他端側から一端側へ向かって形成される。
【００３３】
次に、一つのフィン部９について、切れ目５ａを他端側から徐々に広げて、切れ目５ａを挟んで一方側に位置するフィン部９ａに対して、切れ目５ａを挟んで他方側に位置するフィン部９ｂを１８０°折り曲げてフィン部９ｂをフィン部９ａに重ね合わせることによって、図１１に示すように、主熱交換器１２と補助熱交換器１３とが形成される。
【００３４】
次に、他のフィン部９について、切れ目５ｂを他端側から徐々に広げて、切れ目５ｂを挟んで一方側に位置するフィン部９ｄの部分を切れ目５ｂを挟んで他方側に位置するフィン部９ｃに対して所定の角度分だけ折り曲げることによって、互いに端部において繋がれた熱交換器１４と熱交換器１５とが製造される。こうして製造された主熱交換器１２、補助熱交換器１３および熱交換器１４，１５を室内機に配設することによって、室内機の熱交換器１が製造されることになる。
【００３５】
変形例３
まず、フィン２を積層することによってフィン部９を形成した後に、たとえば、図１２に示すように、一つのフィン部９に対して３つの切れ目５ａ，５ｂ，５ｃが形成される。切れ目５ａは、フィン部９の幅方向の他端側の部分６を残して一端側から他端側へ向かって形成される。また、切れ目５ｂは、フィン部９の幅方向の一端側の部分６を残して他端側から一端側へ向かって形成される。そして、切れ目５ｃも、フィン部９の幅方向の一端側の部分６を残して他端側から一端側へ向かって形成される。
【００３６】
次に、切れ目５ａを一端側から徐々に広げて、切れ目５ａを挟んで一方側に位置するフィン部９ｂに対して、切れ目５ａを挟んで他方側に位置するフィン部９ａを１８０°折り曲げてフィン部９ａをフィン部９ｂに重ね合わせることによって、図１３に示すように、主熱交換器１２と補助熱交換器１３とが形成される。さらに、切れ目５ｂを他端側から徐々に広げて、切れ目５ｂを挟んで一方側に位置するフィン部９ｃを切れ目５ｂを挟んで他方側に位置するフィン部９ｂに対して所定の角度分だけ折り曲げることによって、主熱交換器１２と端部において繋がれた他の熱交換器１４が製造される。
【００３７】
そして、切れ目５ｂを他端側から徐々に広げて、切れ目５ｂを挟んで一方側に位置するフィン部９ｄを切れ目５ｂを挟んで他方側に位置するフィン部９ｃの部分に対して所定の角度分だけ折り曲げることによって、熱交換器１４と端部において繋がれたさらに他の熱交換器１５が製造される。こうして製造された主熱交換器１２、補助熱交換器１３および熱交換器１４，１５を室内機に配設することによって、室内機の熱交換器１が製造されることになる。
【００３８】
上述した空気調和機の熱交換器を構成するフィン部を幅方向に切れ目を入れて折り曲げる場合を例に挙げて説明したが、切れ目としてはこれに限られるものではなく、幅方向に加えてフィンが延在する方向に沿って切れ目を形成してもよい。そのいくつかの例を変形例４〜変形例５として以下に説明する。
【００３９】
変形例４
まず、フィン２を積層することによってフィン部９を形成した後に、たとえば、図１４に示すように、そのフィン部９に４つの切れ目５ａ，５ｂ，５ｃ，５ｄが形成される。切れ目５ａ，５ｄは、フィン部９の幅方向の一端側の部分６を残して他端側から一端側へ向かって形成される。また、切れ目５ｂは、フィン部９の幅方向の他端側の部分６を残して一端側から他端側へ向かって形成される。そして、切れ目５ｃは、切れ目５ｂと切れ目５ｄとの間をフィン部９が延在する方向に沿って形成される。この場合、特に、切れ目５ｃによって形成される熱交換器の伝熱管の列数は１列となる。
【００４０】
次に、切れ目５ｂを一端側から徐々に広げて、切れ目５ｂを挟んで一方側に位置するフィン部９ｄに対して、切れ目５ｂを挟んで他方側に位置するフィン部９ｃを１８０°折り曲げてフィン部９ｃをフィン部９ｄに重ね合わせることによって、図１５に示すように、主熱交換器１２と補助熱交換器１３とが形成される。
【００４１】
また、切れ目５ａを挟んで一方側に位置するフィン部９ｄに対して、切れ目５ａを挟んで他方側に位置するフィン部９ｅを所定の角度分だけ折り曲げることによって、主熱交換器１２と端部において繋がれた他の熱交換器１４が製造される。
【００４２】
さらに、切れ目５ｂ，５ｄ，５ｃによって切り離されたフィン部９の部分について、切れ目５ｄを他端側から徐々に広げて、切れ目５ｄを挟んで一方側に位置するフィン部９ａに対して、切れ目５ｄを挟んで他方側に位置するフィン部９ｂを１８０°折り曲げてフィン部９ｂをフィン部９ａに重ね合わせることによって、図１５に示すように、他の主熱交換器１２と補助熱交換器１３とが形成される。
【００４３】
こうして製造された２組の主熱交換１２および補助熱交換器１３と他の熱交換器１４を室内機に配設することによって、室内機の熱交換器１が製造されることになる。この熱交換器１では、主熱交換器１２の伝熱管の列数は、たとえば２列であり、補助熱交換器１３の伝熱管の列数は１列とされる。なお、この列数とはフィン部の幅方向に配列される伝熱管の列数であり、上述した列数は一例であって、フィン部９の延在する方向に沿って所定の切れ目を設けることによって、伝熱管の列数を当初の列数に対して増減させることができる。
【００４４】
変形例５
まず、フィン２を積層することによってフィン部９を形成した後に、たとえば、図１６に示すように、そのフィン部９に３つの切れ目５ａ，５ｂ，５ｃが形成される。切れ目５ａは、フィン部９の幅方向の一端側の部分６を残して他端側から一端側へ向かって形成される。また、切れ目５ｂは、フィン部９の幅方向の一端側の部分６と他端側の部分６を残して一端側から他端側へ向かって形成される。そして、切れ目５ｃは、切れ目５ｂとフィン部９の延在方向一端部との間をフィン部９が延在する方向に沿って形成されている。この場合、特に、切れ目５ｃによって形成される熱交換器の伝熱管の列数は１列となる。
【００４５】
次に、切れ目５ｃ，５ｂを徐々に広げて、切れ目５ｂを挟んで一方側に位置するフィン部９ｃに対して、切れ目５ｂを挟んで他方側に位置して切れ目５ｃ，５ｂによって仕切られたフィン部９ｂを１８０°折り曲げてフィン部９ｂをフィン部９ｃに重ね合わせることによって、図１７に示すように，主熱交換器１２と補助熱交換器１３とが形成される。
【００４６】
次に、切れ目５ｂを挟んで一方側に位置するフィン部９ｃに対して、切れ目５ｂを挟んで他方側に位置して切れ目５ｃ、５ｂによって仕切られたフィン部９ａを所定角度分だけ折り曲げることによって、主熱交換器１２と端部において繋がれた他の熱交換器１４が製造される。
【００４７】
さらに、切れ目５ａを挟んで一方側に位置するフィン部９ｃに対して、切れ目５ａを挟んで他方側に位置するフィン部９ｄを所定角度分だけ折り曲げることによって、主熱交換器１２と端部において繋がれたさらに他の熱交換器１５が製造される。
【００４８】
こうして製造された１組の主熱交換１２および補助熱交換器１３と他の２つの熱交換器１４，１５を室内機に配設することによって、室内機の熱交換器１が製造されることになる。この熱交換器１では、主熱交換器１２の伝熱管の列数は、たとえば２列であり、補助熱交換器１３の伝熱管の列数は１列とされる。
【００４９】
このように、主熱交換器と補助熱交換器との他に、主熱交換器と繋がる他の熱交換器についても、フィン部を折り曲げることによって形成することで、熱交換器の生産性を向上することができる。
【００５０】
実施の形態２
ここでは、上述した各熱交換器のフィン部を構成するフィンに設けられるスリットのバリエーションについて説明する。図１８に示すように、フィン部を構成する各フィン２のそれぞれには、伝熱管が挿通される開口部３と開口部３との間の部分を打ち抜くことによってスリット４が形成されている。このスリット４は、図１９に示すように、打ち抜かれた部分が複数のフィン２が積層された状態で隣接するフィン２とフィン２との間に位置するように形成される。
【００５１】
積層されたフィン２とフィン２との間にスリット４が配設されることで、フィン２とフィン２との間を通過する空気がスリット４によって乱されて、フィン２の表面から離れた領域を通過する空気を巻き込みながら空気が流れることになる。これにより、フィン２の各表面を通過する空気と、フィン２のそれぞれの温度差をより大きく保つことができる。また、スリット４によりフィン２の伝熱面積が増加する。これらの結果、熱交換器の熱交換効率が向上する。
【００５２】
このように、スリット４は熱交換器の熱交換率を向上するうえで重要な役割を有する一方で、スリット４は空気が通過するフィン２とフィン２との間に位置するために通風抵抗となる。このため、室内機に取り込まれる空気の全体の流れ（マクロ的な流れ）や、熱交換の効率等に基づいて、より適切な通風抵抗を設定する必要がある。
【００５３】
そこで、室内機における所定の位置にそれぞれ配設される熱交換器に対応した所定数のスリットあるいは所定形状のスリットが、フィンの所定の位置にあらかじめ形成される（図２を参照）。そのフィンを積層することによってフィン部が形成され、そのフィン部に所定の切れ目が形成される（図２〜図４を参照）。その切れ目を広げ、切れ目を挟んで一方側に位置する一方のフィン部に対して他方側に位置する他方のフィン部を重ね合わせることによって、たとえば、図２０に示すように、スリット４の数が互いに異なる主熱交換器１２と補助熱交換器１３とが製造される。なお、矢印は空気の流れる方向を示す。
【００５４】
また、フィン部が延在する方向に沿った切れ目も形成する場合には、この切れ目を広げることによって（図１４〜図１７を参照）、たとえば、図２１に示すように、伝熱管の列数とスリット４の数の異なる主熱交換器１２と補助熱交換器１３とが製造される。
【００５５】
このように、配設される熱交換器に応じたスリットをあらかじめフィンに形成することによって、熱交換器の性能を十分に発揮させることができる。しかも、そのようなスリットを形成したフィンを積層したフィン部に所定の切れ目を設けて、その切れ目に基づいて一方のフィン部の部分に対して他方のフィン部の部分を折り曲げて他方のフィンの部分を一方のフィンの部分に重ね合わせることによって、熱交換器の生産性を向上することができる。
【００５６】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００５７】
【図１】本発明の実施の形態１に係る熱交換器の製造方法の一工程を示す斜視図である。
【図２】同実施の形態において、図１に示す工程の後に行なわれる工程を示す側面図である。
【図３】同実施の形態において、図２に示す工程における部分斜視図である。
【図４】同実施の形態において、図２および図３に示す工程の後に行なわれる工程を示す部分斜視図である。
【図５】同実施の形態において、図４に示す工程の後に行なわれる工程を示す部分斜視図である。
【図６】同実施の形態において、図５に示す工程の後に行なわれる工程を示す部分斜視図である。
【図７】同実施の形態において、図６に示す工程の後に行なわれる工程を示す部分斜視図である。
【図８】同実施の形態において、変形例１に係る製造方法の一工程を示す平面図である。
【図９】同実施の形態において、図８に示す工程の後に行なわれる工程を示す平面図である。
【図１０】同実施の形態において、変形例２に係る製造方法の一工程を示す平面図である。
【図１１】同実施の形態において、図１０に示す工程の後に行なわれる工程を示す平面図である。
【図１２】同実施の形態において、変形例３に係る製造方法の一工程を示す平面図である。
【図１３】同実施の形態において、図１２に示す工程の後に行なわれる工程を示す平面図である。
【図１４】同実施の形態において、変形例４に係る製造方法の一工程を示す平面図である。
【図１５】同実施の形態において、図１４に示す工程の後に行なわれる工程を示す平面図である。
【図１６】同実施の形態において、変形例５に係る製造方法の一工程を示す平面図である。
【図１７】同実施の形態において、図１６に示す工程の後に行なわれる工程を示す平面図である。
【図１８】本発明の実施の形態２に係る熱交換器を構成するフィンとそのスリットを示す部分斜視図である。
【図１９】同実施の形態において、図１８に示すフィンを積層させた状態を示す部分側面図である。
【図２０】同実施の形態において、スリットのパターンを示す第１の平面図である。
【図２１】同実施の形態において、スリットのパターンを示す第２の平面図である。
【符号の説明】
【００５８】
１  熱交換器、２  フィン、３  開口部、４  スリット、５，５ａ，５ｂ，５ｃ，５ｄ  切れ目、７  伝熱管、８  エンドプレート、８ａ  爪部、９，９ａ，９ｂ，９ｃ，９ｄ，９ｅ  フィン部、１０  第１フィン部、１１  第２フィン部、１２  主熱交換器、１３  補助熱交換器、１４，１５  熱交換器、２０  クロスフローファン。
【図１】
0004675224.tif 000002
【図２】
0004675224.tif 000003
【図３】
0004675224.tif 000004
【図４】
0004675224.tif 000005
【図５】
0004675224.tif 000006
【図６】
0004675224.tif 000007
【図７】
0004675224.tif 000008
【図８】
0004675224.tif 000009
【図９】
0004675224.tif 000010
【図１０】
0004675224.tif 000011
【図１１】
0004675224.tif 000012
【図１２】
0004675224.tif 000013
【図１３】
0004675224.tif 000014
【図１４】
0004675224.tif 000015
【図１５】
0004675224.tif 000016
【図１６】
0004675224.tif 000017
【図１７】
0004675224.tif 000018
【図１８】
0004675224.tif 000019
【図１９】
0004675224.tif 000020
【図２０】
0004675224.tif 000021
【図２１】
0004675224.tif 000022